(57)【特許請求の範囲】
【請求項１】
複数の太陽光発電設備について、過去の発電量の実績データを用いて、各太陽光発電設備の将来時点の発電量を予測する太陽光発電設備発電量予測システムであって、
各太陽光発電設備の過去の発電量の実績データを、配電系統連系点の電圧上昇抑制のための発電量抑制や影等による発電量低下の影響を除去して、それらの影響がなかった場合の発電量の補正値を求める太陽光発電設備発電量補正部と、
該太陽光発電設備発電量補正部によって求められた複数の太陽光発電設備の前記発電量の補正値の間の相関モデルを同定する太陽光発電設備間発電量相関モデル同定部と、
該太陽光発電設備間発電量相関モデル同定部によって同定された前記相関モデルを用いて、各太陽光発電設備の将来時点の発電量を予測する太陽光発電設備発電量予測部を備えることを特徴とする太陽光発電設備発電量予測システム。
【請求項２】
請求項１記載の太陽光発電設備発電量予測システムにおいて、
各太陽光発電設備について、電圧上昇抑制制御の動作や影によって発電量が低下する程度に応じて、当該設備の補正必要度データとして設定する補正必要度判定部を備え、
前記太陽光発電設備発電量補正部は、前記補正必要度判定部により設定された補正必要度を用いて、発電量の補正値を求めることを特徴とする太陽光発電設備発電量予測システム。
【請求項３】
請求項２記載の太陽光発電設備発電量予測システムにおいて、
前記補正必要度判定部は、全ての太陽光発電設備の発電率から算出された係数Ｋ１を乗じた補正必要度，全ての太陽光発電設備の電圧低め度から算出された係数Ｋ２を乗じた補正必要度，全ての太陽光発電設備の電圧上昇抑制率から算出された係数Ｋ３を乗じた補正必要度の少なくともいずれかの補正必要度を前記設備の補正必要度データとして設定することを特徴とする太陽光発電設備発電量予測システム。
【請求項４】
複数の太陽光発電設備の過去の発電量の実績データを、配電系統連系点の電圧上昇抑制のための発電量抑制や影等による発電量低下の影響を除去して、それらの影響がなかった場合の発電量の補正値を求める太陽光発電設備発電量補正部と、
該太陽光発電設備発電量補正部によって求められた複数の太陽光発電設備の前記発電量の補正値の間の相関モデルを同定する太陽光発電設備間発電量相関モデル同定部と、
該太陽光発電設備間発電量相関モデル同定部によって同定された前記相関モデルを用いて、各太陽光発電設備の将来時点の発電量を予測する太陽光発電設備発電量予測部と、
該太陽光発電設備発電量予測部によって予測された前記将来時点の発電量の予測値を日射強度に変換する気象情報変換部を備えることを特徴とする気象予測システム。
【請求項５】
請求項４記載の太陽光発電設備発電量予測システムにおいて、
各太陽光発電設備について、電圧上昇抑制制御の動作や影によって発電量が低下する程度に応じて、当該設備の補正必要度データとして設定する補正必要度判定部を備え、
前記太陽光発電設備発電量補正部は、前記補正必要度判定部により設定された補正必要度を用いて、発電量の補正値を求めることを特徴とする太陽光発電設備発電量予測システム。
【請求項６】
請求項５記載の太陽光発電設備発電量予測システムにおいて、
前記補正必要度判定部は、全ての太陽光発電設備の発電率から算出された係数Ｋ１を乗じた補正必要度，全ての太陽光発電設備の電圧低め度から算出された係数Ｋ２を乗じた補正必要度，全ての太陽光発電設備の電圧上昇抑制率から算出された係数Ｋ３を乗じた補正必要度の少なくともいずれかの補正必要度を前記設備の補正必要度データとして設定することを特徴とする太陽光発電設備発電量予測システム。
【請求項７】
複数の太陽光発電設備について、過去の発電量の実績データを用いて、各太陽光発電設備の将来時点の発電量を予測する太陽光発電設備発電量予測方法であって、
各太陽光発電設備の過去の発電量の実績データを、発電量低下の影響を除去して、それらの影響がなかった場合の発電量の補正値を求め、
該求められた複数の太陽光発電設備の前記発電量の補正値の間の相関モデルを同定し、
該同定された前記相関モデルを用いて、各太陽光発電設備の将来時点の発電量を予測することを特徴とする太陽光発電設備発電量予測方法。
【発明の詳細な説明】
【技術分野】
【０００１】
本発明は、太陽光発電設備発電量予測システム，気象予測システム及び太陽光発電設備発電量予測方法に関する。
【背景技術】
【０００２】
地球環境負荷低減に向けて太陽光発電設備の導入拡大が見込まれるが、太陽光発電設備の電力系統への連系拡大において、その出力変動が電力系統に及ぼす影響が懸念されている。この電力系統への影響緩和のための制御を高精度に行うには、太陽光発電設備の発電量を地理的、時間的に高分解能で予測することが必要である。【０００３】
太陽光発電設備の発電量を予測する方法として、複数地点に設置された太陽光発電システムの発電量の情報を蓄積し、過去の発電量をもとに、予測対象の太陽光発電設備の時刻帯別の発電量を予測するものが知られている（例えば、特許文献１参照）。この方法では、予測対象の発電量を目的関数とし、予測対象およびその他の太陽光発電設備の過去の発電量を説明変数として、過去実績データにより回帰分析を行って、発電量予測式を導出する。【０００４】
予測対象の太陽光発電設備の発電量は、日射強度などの気象状況に強く影響を受けるが、特許文献１の方法によれば、気象予測情報を用いずに、太陽光発電設備の発電量を予測することができる。
【先行技術文献】
【特許文献】
【０００５】
【特許文献１】特開２００７−２８１０６０号公報
【発明の概要】
【発明が解決しようとする課題】
【０００６】
しかしながら、太陽光発電設備の発電量は、日射強度などの気象状況のみでなく、連系している配電系統の電圧状況にも影響を受ける。太陽光発電設備は、連系点の電圧が上昇すると、配電系統の電圧を適正範囲に維持することを目的として、発電を抑制する制御を行うことがあるためである。配電系統の電圧分布は、太陽光発電設備の発電状況のほか需要家の負荷の状況によっても変化する。【０００７】
従って、特許文献１記載の方法において、過去実績データにより回帰分析を行って、発電量予測式を導出する際に、過去実績データに、配電系統の電圧分布の影響によって発電量が抑制されているものがある場合、将来時点では、電圧分布が変化し得るので、発電量が必ずしも同じようには抑制されない可能性があり、このようなケースにおいて、予測誤差が生じることになる。【０００８】
本発明の第１の目的は、配電系統の電圧分布の影響を除去して、太陽光発電設備の発電量を高精度に予測可能な太陽光発電設備発電量予測システム及び予測方法を提供することにある。【０００９】
また、配電系統の電圧分布の影響を除去することができれば、太陽光発電設備の発電量を、逆に気象状況（特に日射強度）に高精度に変換することが期待される。【００１０】
そこで、本発明の第２の目的は、太陽光発電設備の発電量をもとに高精度に気象を予測可能な気象予測システムを提供することにある。
【課題を解決するための手段】
【００１１】
（１）上記第１の目的を達成するために、本発明は、複数の太陽光発電設備について、過去の発電量の実績データを用いて、各太陽光発電設備の将来時点の発電量を予測する太陽光発電設備発電量予測システムであって、各太陽光発電設備の過去の発電量の実績データを、配電系統連系点の電圧上昇抑制のための発電量抑制や影等による発電量低下の影響を除去して、それらの影響がなかった場合の発電量の補正値を求める太陽光発電設備発電量補正部と、該太陽光発電設備発電量補正部によって求められた複数の太陽光発電設備の前記発電量の補正値の間の相関モデルを同定する太陽光発電設備間発電量相関モデル同定部と、該太陽光発電設備間発電量相関モデル同定部によって同定された前記相関モデルを用いて、各太陽光発電設備の将来時点の発電量を予測する太陽光発電設備発電量予測部を備えるようにしたものである。【００１２】
かかる構成により、配電系統の電圧分布の影響を除去して、太陽光発電設備の発電量を高精度に予測可能となる。【００１３】
（２）上記（１）において、好ましくは、各太陽光発電設備について、電圧上昇抑制制御の動作や影によって発電量が低下する程度に応じて、当該設備の補正必要度データとして設定する補正必要度判定部を備え、前記太陽光発電設備発電量補正部は、前記補正必要度判定部により設定された補正必要度を用いて、発電量の補正値を求めるようにしたものである。【００１４】
（３）上記（２）において、好ましくは、前記補正必要度判定部は、全ての太陽光発電設備の発電率から算出された係数Ｋ１を乗じた補正必要度，全ての太陽光発電設備の電圧低め度から算出された係数Ｋ２を乗じた補正必要度，全ての太陽光発電設備の電圧上昇抑制率から算出された係数Ｋ３を乗じた補正必要度の少なくともいずれかの補正必要度を前記設備の補正必要度データとして設定するようにしたものである。【００１５】
（４）上記第２の目的を達成するために、本発明は、複数の太陽光発電設備の過去の発電量の実績データを、配電系統連系点の電圧上昇抑制のための発電量抑制や影等による発電量低下の影響を除去して、それらの影響がなかった場合の発電量の補正値を求める太陽光発電設備発電量補正部と、該太陽光発電設備発電量補正部によって求められた複数の太陽光発電設備の前記発電量の補正値の間の相関モデルを同定する太陽光発電設備間発電量相関モデル同定部と、該太陽光発電設備間発電量相関モデル同定部によって同定された前記相関モデルを用いて、各太陽光発電設備の将来時点の発電量を予測する太陽光発電設備発電量予測部と、該太陽光発電設備発電量予測部によって予測された前記将来時点の発電量の予測値を日射強度に変換する気象情報変換部を備えるようにしたものである。【００１６】
かかる構成により、太陽光発電設備の発電量をもとに高精度に気象を予測可能となる。【００１７】
（５）上記（４）において、好ましくは、各太陽光発電設備について、電圧上昇抑制制御の動作や影によって発電量が低下する程度に応じて、当該設備の補正必要度データとして設定する補正必要度判定部を備え、前記太陽光発電設備発電量補正部は、前記補正必要度判定部により設定された補正必要度を用いて、発電量の補正値を求めるようにしたものである。【００１８】
（６）上記（５）において、好ましくは、前記補正必要度判定部は、全ての太陽光発電設備の発電率から算出された係数Ｋ１を乗じた補正必要度，全ての太陽光発電設備の電圧低め度から算出された係数Ｋ２を乗じた補正必要度，全ての太陽光発電設備の電圧上昇抑制率から算出された係数Ｋ３を乗じた補正必要度の少なくともいずれかの補正必要度を前記設備の補正必要度データとして設定するようにしたものである。【００１９】
（７）また、上記目的を達成するために、本発明は、複数の太陽光発電設備について、過去の発電量の実績データを用いて、各太陽光発電設備の将来時点の発電量を予測する太陽光発電設備発電量予測方法であって、各太陽光発電設備の過去の発電量の実績データを、発電量低下の影響を除去して、それらの影響がなかった場合の発電量の補正値を求め、該求められた複数の太陽光発電設備の前記発電量の補正値の間の相関モデルを同定し、該同定された前記相関モデルを用いて、各太陽光発電設備の将来時点の発電量を予測するようにしたものである。  
かかる方法により、配電系統の電圧分布の影響を除去して、太陽光発電設備の発電量を高精度に予測可能となる。
【発明の効果】
【００２０】
本発明によれば、需要家に設置される太陽光発電設備の将来時点の発電量を、気象情報を用いずに、高精度に予測することが可能になる。また、当該太陽光発電設備の設置場所の当該将来時点の気象状況を予測することが可能になる。
【図面の簡単な説明】
【００２１】
【図１】本発明の一実施形態による太陽光発電設備発電量予測システム及び気象予測システムを適用した配電システムの全体構成を示すシステムブロック図である。
【図２】本発明の一実施形態による太陽光発電設備発電量予測システム及び気象予測システムにおける補正必要度判定部の処理内容を示すフローチャートである。
【図３】本発明の一実施形態による太陽光発電設備発電量予測システム及び気象予測システムにおける太陽光発電設備発電量補正部の処理内容を示すフローチャートである。
【図４】本発明の一実施形態による太陽光発電設備発電量予測システム及び気象予測システムにおける太陽光発電設備発電量補正部の処理内容の説明図である。
【図５】本発明の一実施形態による太陽光発電設備発電量予測システム及び気象予測システムにおける太陽光発電設備発電量予測部の処理内容を示すフローチャートである。
【図６】本発明の一実施形態による太陽光発電設備発電量予測システム及び気象予測システムにおける気象情報変換部の処理内容を示すフローチャートである。
【発明を実施するための形態】
【００２２】
以下、図１〜図６を用いて、本発明の一実施形態による太陽光発電設備発電量予測システム及び気象予測システムを適用した配電システムの構成について説明する。
【００２３】
最初に、図１を用いて、本実施形態による太陽光発電設備発電量予測システム及び気象予測システムを適用した配電システムの全体構成について説明する。
【００２４】
図１は、本発明の一実施形態による太陽光発電設備発電量予測システム及び気象予測システムを適用した配電システムの全体構成を示すシステムブロック図である。
【００２５】
本実施形態による太陽光発電設備発電量予測システム及び気象予測システムを適用した配電システムは、配電系統１００と、需要家２００と、配電監視システム３００と、需要家連携システム４００と、太陽光発電設備発電量予測＆気象予測システム５００とで構成されている。
【００２６】
配電系統１００は、電力を需要家２００に供給するシステムであり、配電線、変圧器、開閉器などの設備で構成される。
【００２７】
需要家２００には、電力により動作する電力負荷機器２１０と、太陽光を受けて電力に変換する太陽光発電設備２２０と、画像を表示したり音声を出力する情報出力機器２３０とが設置される。電力負荷機器２１０と太陽光発電設備２２０は、配電系統１００と電気的に接続している。太陽光発電設備２２０は、配電系統連系点の電圧上昇時に発電量を抑制する、電圧上昇抑制制御の機能を備える。太陽光発電設備２２０によっては、電圧上昇抑制制御が作動している場合に、作動していることを外部に出力する機能を備えているものもある。
【００２８】
配電監視システム３００と需要家連携システム４００と太陽光発電設備発電量予測＆気象予測システム５００は、電力会社の営業所等に設置され、配電系統１００の各設備や需要家２００の各機器と通信ネットワークで接続される。
【００２９】
配電監視システム３００は、配電系統１００の状態を監視するシステムである。配電監視システム３００は、通信ネットワークを介して配電系統１００の各設備の状態（電圧や電流等の電気的状態値、開閉器の接続状態値など）を監視する配電系統監視部３１０と、配電系統１００の監視データを用いて将来時点の配電系統１００の状態を予測する配電系統状態予測部３２０とを備える。
【００３０】
需要家連携システム４００は、需要家２００の機器の状態（太陽光発電設備２２０の発電量など）を監視したり、機器に情報を配信したりするシステムである。需要家連携システム４００は、通信ネットワークを介して需要家２００の太陽光発電設備２２０の状態を把握する太陽光発電設備管理部４１０と、通信ネットワークを介して需要家２００の情報出力機器２３０に情報を配信して画像や音声を出力する情報配信部４２０とを備える。太陽光発電設備管理部４１０は、電圧上昇抑制制御の作動状況を出力する機能を備える太陽光発電設備２２０については、その作動状況も管理する。
【００３１】
太陽光発電設備発電量予測＆気象予測システム５００は、配電監視システム３００から配電系統１００の状態情報を取得し、需要家連携システム４００から需要家２００の太陽光発電設備２２０の発電量情報を取得し、それらを用いて、需要家２００の太陽光発電設備２２０の将来時点の発電量を予測し、また、将来時点の気象情報を予測するシステムである。太陽光発電設備発電量予測＆気象予測システム５００は、配電系統状態値管理部５１０と、太陽光発電設備発電量管理部５１５と、太陽光発電設備電圧上昇抑制状況管理部５２０と、太陽光発電設備仕様管理部５２５と、気象状態値管理部５３０と、太陽光発電設備間発電量相関モデル同定部５５０と、太陽光発電設備発電量予測部５６０と、太陽光発電設備発電量補正部５７０と、補正必要度判定部５８０と、気象情報変換部５９０とを備える。
【００３２】
配電系統状態値管理部５１０は、配電監視システム３００の配電系統監視部３１０から、配電系統１００の各設備の状態値を取得し、これを実績データとして保管管理する。また、配電系統状態値管理部５１０は、配電監視システム３００の配電系統状態予測部３２０から、配電系統１００の将来時点の状態の予測値を取得し、これを予測データとして保管管理する。配電系統状態値管理部５１０は、実績データや予測データを、複数の時刻断面について保管管理される。
【００３３】
太陽光発電設備発電量管理部５１５は、需要家連携システム４００の太陽光発電設備管理部４１０から、需要家２００の太陽光発電設備２２０の発電量を取得し、これを実績データとして保管管理する。また、太陽光発電設備発電量管理部５１５は、太陽光発電設備発電量補正部５７０が、それら実績データに補正をかけて算出した値を取得し、これを実績補正データとして保管管理する。さらに、太陽光発電設備発電量管理部５１５は、太陽光発電設備発電量予測部５６０から、需要家２００の太陽光発電設備２２０の将来時点の発電量の予測値を取得し、これを予測データとして保管管理する。太陽光発電設備発電量管理部５１５は、実績データ、実績補正データ、予測データを、複数の時刻断面について保管管理する。
【００３４】
太陽光発電設備電圧上昇抑制状況管理部５２０は、太陽光発電設備発電量管理部５１５が管理する、各太陽光発電設備２２０の各時刻断面の発電量実績データに対応付けて、それが電圧上昇抑制制御が作動した結果であれば１を、作動していない結果であれば−１を、不明の場合には０を、電圧上昇抑制状況実績データとして保管管理する。太陽光発電設備電圧上昇抑制状況管理部５２０は、需要家連携システム４００の太陽光発電設備管理部４１０が、電圧上昇抑制制御の作動状況を管理していない太陽光発電設備２２０については、不明として０を格納し、作動状況を管理している太陽光発電設備２２０については、作動状況に応じて１か−１を格納する。
【００３５】
太陽光発電設備仕様管理部５２５は、需要家２００の太陽光発電設備２２０の発電特性、補正必要度、連系点、地理的座標のデータを保管管理する。発電特性は、日射強度にそのときの最大発電量を対応付けるデータであり、太陽光発電設備２２０の設置時に運用者によりあらかじめ格納される。補正必要度は、補正必要度判定部５８０が、電圧上昇抑制制御が動作することが少なく、かつ、影による発電量低下となることが少ないほど、小さい値を設定し、０から１の間の値を持つデータである。連系点は、太陽光発電設備２２０が接続する配電系統１００の設備を示すデータである、各太陽光発電設備２２０の間の２次元上の位置関係を表現できるデータであり、例えば、緯度と経度が考えられる。
【００３６】
気象状態値管理部５３０は、気象情報変換部５９０から、需要家２００の将来時点の日射強度の予測値を取得し、これを保管管理する。
【００３７】
太陽光発電設備間発電量相関モデル同定部５５０は、太陽光発電設備発電量管理部５１５に格納されている各太陽光発電設備２２０の各時刻断面の実績補正データと予測データを用いて、各太陽光発電設備２２０のある時刻断面の発電量を、他の太陽光発電設備２２０の前記時刻断面より古い時刻断面の実績補正データや予測データを用いて計算する計算式を、良く知られている回帰分析により太陽光発電設備２２０の間の発電量相関モデルとして決定する。太陽光発電設備間発電量相関モデル同定部５５０の詳細な処理内容については、後述する。
【００３８】
太陽光発電設備発電量予測部５６０は、太陽光発電設備２２０の将来時点の発電量を予測するものであり、その処理の詳細について、図５を用いて後述する。
【００３９】
太陽光発電設備発電量補正部５７０は、太陽光発電設備発電量管理部５１５に格納保管されている各太陽光発電設備２２０の各時刻断面の発電量の実績データについて、電圧上昇抑制制御が動作せず、かつ、影による発電量低下がなかった場合の発電量を推定し、これを実績補正データとして、太陽光発電設備発電量管理部５１５に格納する。実績データ自体が、電圧上昇抑制制御が動作せず、かつ、影による発電量低下がなかった結果の発電量であった場合には、同じ値が実績補正データとして格納される。太陽光発電設備発電量補正部５７０の処理の詳細について、図３を用いて後述する。
【００４０】
補正必要度判定部５８０は、各太陽光発電設備２２０について、電圧上昇抑制制御の動作や影によって発電量が低下する程度に応じて、程度が少ないほど、小さい値を０から１の間で、太陽光発電設備仕様管理部５２５が管理する当該設備の補正必要度データとして設定する。補正必要度判定部５８０の処理の詳細について、図２を用いて後述する。
【００４１】
気象情報変換部５９０は、太陽光発電設備２２０の設置場所の将来時点の日射強度を予測するものであり、その処理の詳細について、図６を用いて後述する。
【００４２】
次に、図２を用いて、本実施形態による太陽光発電設備発電量予測システム及び気象予測システムにおける補正必要度判定部５８０の処理内容について説明する。
【００４３】
図２は、本発明の一実施形態による太陽光発電設備発電量予測システム及び気象予測システムにおける補正必要度判定部の処理内容を示すフローチャートである。
【００４４】
補正必要度判定部５８０は、各太陽光発電設備２２０について、電圧上昇抑制制御の動作や影によって発電量が低下する程度に応じて、程度が少ないほど、小さい値を０から１の間で、太陽光発電設備仕様管理部５２５が管理する当該設備の補正必要度データとして設定する。
【００４５】
最初に、ステップＳ１００において、補正必要度判定部５８０は、初期設定を実行する。初期設定においては、太陽光発電設備仕様管理部５２５が管理する全ての太陽光発電設備２２０について、補正必要度を１に設定する。
【００４６】
次に、ステップＳ１１０において、補正必要度判定部５８０は、発電量実績値に基づく設定を実行する。
【００４７】
すなわち、ステップＳ１１２において、補正必要度判定部５８０は、太陽光発電設備仕様管理部５２５が管理する全ての太陽光発電設備２２０について、それぞれ下記の発電率を計算する。
【００４８】
具体的には、まず、太陽光発電設備仕様管理部５２５から発電特性を取得して最大発電量を求める。次に、太陽光発電設備発電量管理部５１５からその発電量実績データを全て取得してその平均値を求める。そして、前記最大発電量に対するこの平均値の比を、発電率として計算する。なお、発電量実績データが事前に定めた個数以上ない場合には、発電率＝０とする。
【００４９】
次に、ステップＳ１１４において、補正必要度判定部５８０は、太陽光発電設備仕様管理部５２５が管理する全ての太陽光発電設備２２０について、それぞれ補正必要度を更新する。
【００５０】
具体的には、全ての太陽光発電設備２２０の発電率のうち、最大と最小を抽出し、それぞれＭａｘとＭｉｎとおく。そして、下記の式（１）で計算される係数Ｋ１を算出する。
【００５１】
Ｋ１＝１−（当該太陽光発電設備２２０の発電率−Ｍｉｎ）÷（Ｍａｘ−Ｍｉｎ）  …（１）
その上で、各太陽光発電設備２２０の補正必要度を、係数Ｋ１を乗じて更新する。
【００５２】
次に、ステップＳ１２０において、補正必要度判定部５８０は、連系点の電圧実績値に基づく設定を実行する。
【００５３】
すなわち、ステップＳ１２２において、補正必要度判定部５８０は、太陽光発電設備仕様管理部５２５が管理する全ての太陽光発電設備２２０について、それぞれ下記の電圧低め度を計算する。
【００５４】
具体的には、まず、太陽光発電設備仕様管理部５２５が管理する連系点データを参照して、当該太陽光発電設備２２０が接続する配電系統１００の設備を求める。次に、配電系統１００状態管理部が管理する実績データを参照して、前記配電系統１００の設備に関する全ての時刻断面の電圧実績データを抽出する。抽出した各電圧実績データについて、事前に定めた電圧基準範囲の下限値からの偏差を求め、それの電圧基準範囲幅に対する比を計算し、抽出した全ての電圧実績データに関する平均値を計算する。これを、当該太陽光発電設備２２０の電圧低め度とする。
【００５５】
次に、ステップＳ１２４において、補正必要度判定部５８０は、太陽光発電設備仕様管理部５２５が管理する全ての太陽光発電設備２２０について、それぞれ補正必要度を更新する。
【００５６】
具体的には、電圧実績データが事前に定めた個数以上ない場合には、電圧低め度＝１とする。そして、全ての太陽光発電設備２２０の電圧低め度のうち、最大と最小を抽出し、それぞれＭａｘとＭｉｎとおく。そして、下記の式（２）で計算される係数Ｋ２を算出する。
【００５７】
Ｋ２＝（当該太陽光発電設備２２０の電圧低め度−Ｍｉｎ）÷（Ｍａｘ−Ｍｉｎ）  …（２）
その上で、各太陽光発電設備２２０の補正必要度を、係数Ｋ２を乗じて更新する。
【００５８】
次に、ステップＳ１３０において、補正必要度判定部５８０は、電圧上昇抑制状況実績データに基づく設定を実行する。
【００５９】
具体的には、ステップＳ１３２において、補正必要度判定部５８０は、処理対象の太陽光発電設備２２０について、電圧上昇抑制率を算出する。具体的には、補正必要度判定部５８０は、太陽光発電設備電圧抑制状況管理部５２０が管理する、当該太陽光発電設備２２０の全ての電圧抑制状況実績データを参照し、電圧上昇抑制状況実績データが−１であるデータ数の割合を電圧上昇抑制制御率として計算し、これを係数Ｋ３とする。
【００６０】
ステップＳ１３４において、補正必要度判定部５８０は、当該太陽光発電設備２２０の補正必要度を、係数３を乗じて更新する。
【００６１】
最後に、ステップＳ１４０において、補正必要度判定部５８０は、本システムの運用者からの入力に基づく設定を実行する。具体的には、運用者から、処理対象の太陽光発電設備２２０の補正必要度の値の入力があれば、太陽光発電設備仕様管理部５２５が管理する当該太陽光発電設備２２０の補正必要度をその入力値に設定する。
【００６２】
以上説明した補正必要度判定部５８０の処理の中で、ステップＳ１１０の処理で、影による発電量抑制が多い場合には発電率が小さくなるので、補正必要度は、影による発電量抑制が少ない太陽光発電設備２２０ほど、小さい値をとる傾向がある。
【００６３】
また、ステップＳ１２０の処理で、連系点の電圧が常時低めとなっている場合には電圧上昇抑制制御が動作することが少なくなるので、電圧上昇抑制制御が少ない太陽光発電設備２２０ほど、小さい値をとる傾向がある。
【００６４】
また、ステップＳ１３０の処理では、太陽光発電設備２２０自体が電圧上昇抑制制御の動作の有無を検出している場合に、その情報を直接的に用いて、電圧上昇抑制制御の動作が少ない太陽光発電設備２２０ほど、補正必要度が小さい値をとるように調整する。
【００６５】
さらに、ステップＳ１４０の処理により、運用者が陽に指定することで、電圧上昇抑制制御の動作が少なく、かつ、影による発電量低下となることが少ないものほど、補正必要度を小さく定めることができる。
【００６６】
次に、図３及び図４を用いて、本実施形態による太陽光発電設備発電量予測システム及び気象予測システムにおける太陽光発電設備発電量補正部５７０の処理内容について説明する。
【００６７】
図３は、本発明の一実施形態による太陽光発電設備発電量予測システム及び気象予測システムにおける太陽光発電設備発電量補正部の処理内容を示すフローチャートである。図４は、本発明の一実施形態による太陽光発電設備発電量予測システム及び気象予測システムにおける太陽光発電設備発電量補正部の処理内容の説明図である。
【００６８】
太陽光発電設備発電量補正部５７０は、太陽光発電設備発電量管理部５１５に格納保管されている各太陽光発電設備２２０の各時刻断面の発電量の実績データについて、電圧上昇抑制制御が動作せず、かつ、影による発電量低下がなかった場合の発電量を推定し、これを実績補正データとして、太陽光発電設備発電量管理部５１５に格納する。実績データ自体が、電圧上昇抑制制御が動作せず、かつ、影による発電量低下がなかった結果の発電量であった場合には、同じ値が実績補正データとして格納される。
【００６９】
最初に、図３のステップＳ２００において、太陽光発電設備発電量補正部５７０は、補正基準とする太陽光発電設備２２０を抽出する。
【００７０】
具体的には、太陽光発電設備仕様管理部５２５に格納されている、各太陽光発電設備２２０の補正必要度データ、地理的座標データを参照して、以下の処理を行う。最初に、処理対象の太陽光発電設備２２０をＡとおく。次に、処理対象の太陽光発電設備Ａの補正必要度が０となっていれば、Ａを補正基準として抽出する。次に、処理対象の太陽光発電設備Ａの補正必要度が０でない場合は、太陽光発電設備２２０Ａとの地理的距離が事前に定めたしきい値より小さい太陽光発電設備２２０で、補正必要度が最小のものを、補正基準として抽出する。さらに、抽出した太陽光発電設備２２０をＢとおく。ここで、地理的距離に関するしきい値は、例えば、数十ｍから数ｋｍ程度としている。
【００７１】
次に、ステップＳ２１０において、太陽光発電設備発電量補正部５７０は、実績補正の計算を実行する。この処理については、図４を用いて説明する。
【００７２】
太陽光発電設備発電量補正部５７０は、太陽光発電設備仕様管理部５２５から、処理対象の太陽光発電設備Ａと抽出した太陽光発電設備Ｂの発電特性データを取得する。次に、処理対象の発電量実績データをＰＡとおく。そして、太陽光発電設備発電量管理部５１５から、処理対象の発電量実績データＰＡと同じ時刻断面の抽出した太陽光発電設備Ｂの発電量実績データを取得し、これをＰＢとおく。次に、抽出した太陽光発電設備Ｂの発電特性データを参照して、抽出した太陽光発電設備Ｂの発電量実績データＰＢに対応付けられている日射強度を求める。
【００７３】
次に、ステップＳ２２０において、太陽光発電設備発電量補正部５７０は、実績補正の格納を実行する。すなわち、処理対象の太陽光発電設備Ａの発電特性データを参照して、求めた日射強度に対応付けられている発電量ＰＡ’を求め、これを処理対象の太陽光発電設備Ａの発電量実績データＰＡに対応する実績補正データＰＡ’として、太陽光発電設備発電量管理部５１５に格納する。
【００７４】
以上の処理により、日射強度を計測しなくても、補正基準とする太陽光発電設備Ｂの発電量実績データから、処理対象の太陽光発電設備Ａの実績補正データを推定することができる。
【００７５】
次に、ステップＳ２３０において、太陽光発電設備発電量補正部５７０は、発電量実績データに関する処理を繰り返す。すなわち、太陽光発電設備発電量管理部５１５に格納されている、処理対象の太陽光発電設備Ａの全ての発電量実績データＰＡについて、ステップＳ２１０，ステップＳ２２０の処理を行う。
【００７６】
さらに、ステップＳ２４０において、太陽光発電設備発電量補正部５７０は、太陽光発電設備２２０に関する処理を繰り返す。すなわち、太陽光発電設備発電量管理部５１５に実績データが格納されている、全ての太陽光発電設備２２０について、ステップＳ２００〜ステップＳ２２０の処理を行う。
【００７７】
次に、本実施形態による太陽光発電設備発電量予測システム及び気象予測システムにおける太陽光発電設備間発電量相関モデル同定部５５０の処理内容について説明する。
【００７８】
太陽光発電設備間発電量相関モデル同定部５５０は、太陽光発電設備発電量管理部５１５に格納されている各太陽光発電設備２２０の各時刻断面の実績補正データと予測データを用いて、各太陽光発電設備２２０のある時刻断面の発電量を、他の太陽光発電設備２２０の前記時刻断面より古い時刻断面の実績補正データや予測データを用いて計算する計算式を、既知の回帰分析により太陽光発電設備２２０の間の発電量相関モデルとして決定する。
【００７９】
まず、説明を簡単にするため、いくつかの記号を定義する。
【００８０】
太陽光発電設備発電量管理部５１５に格納されている実績補正データについて、最も古い時刻断面を１とし、時間経過に従ってインクリメントして異なる時刻断面を表現するものとする。
【００８１】
また、太陽光発電設備Ｘの時刻断面Ｔの発電量をＰ（Ｘ，Ｔ）とおく。
【００８２】
ここで、時刻断面Ｔの実績補正データがある場合はそれを、実績補正データがなく予測データがある場合にはそれをとるものとする。
【００８３】
そして、モデル同定対象の太陽光発電設備２２０をＡ、時刻断面をＳとおく。
【００８４】
太陽光発電設備間発電量相関モデル同定部５５０は、太陽光発電設備間発電量相関モデルを、式（３）として決定する。
【００８５】
Ｐ（Ａ，Ｓ）＝α（Ａ，０）＋ΣΣ｛α（Ａ，Ｘ，Ｉ）×Ｐ（Ｘ，Ｓ−Ｉ）｝    …（３）
ただし、最初のΣは、太陽光発電設備仕様管理部５２５で管理されている全ての太陽光発電設備Ｘについて和をとることを意味し、２つめのΣはＩについて和をとることを意味し、Ｉは１から事前に定めた値Ｉｍａｘまでを動く。さらに、α（Ａ，０）はＡによって決まる定数、α（Ａ，Ｘ，Ｉ）はＡとＸによって決まる定数を表す。
【００８６】
式（３）の回帰分析に用いるサンプルデータには、太陽光発電設備発電量管理部５１５に格納されている、各太陽光発電設備２２０の時刻断面Ｓと、Ｓ−Ｊｍａｘまでの発電量実績補正データを用いる。Ｊｍａｘは、Ｊｍａｘ≧Ｉｍａｘなるように事前に定めるものとする。
【００８７】
次に、図５を用いて、本実施形態による太陽光発電設備発電量予測システム及び気象予測システムにおける太陽光発電設備発電量予測部５６０の処理内容について説明する。
【００８８】
図５は、本発明の一実施形態による太陽光発電設備発電量予測システム及び気象予測システムにおける太陽光発電設備発電量予測部の処理内容を示すフローチャートである。
【００８９】
太陽光発電設備発電量予測部５６０は、太陽光発電設備２２０の将来時点の発電量を予測する。
【００９０】
まず、ステップＳ３００において、太陽光発電設備発電量予測部５６０は、初期設定を実行する。具体的には、予測対象の太陽光発電設備２２０をＡ、予測対象の将来の時刻断面をＮとする。
【００９１】
次に、ステップＳ３１０において、太陽光発電設備発電量予測部５６０は、最新の実績補正データの時刻断面を抽出する。すなわち、太陽光発電設備発電量管理部５１５に格納されている最新の実績補正データの時刻断面を参照し、これをＭとおく。
【００９２】
次に、ステップＳ３２０において、太陽光発電設備発電量予測部５６０は、  時刻断面Ｍの太陽光発電設備間発電量相関モデルを取得する。すなわち、太陽光発電設備間発電量相関モデル同定部５５０に、モデル同定対象の太陽光発電設備Ａ、時刻断面Ｍを渡し、モデル同定結果のモデル式を取得する。取得したモデル式を下記の式（４）とする。
【００９３】
Ｐ（Ａ，Ｍ）＝α（Ａ，０）＋ΣΣ｛α（Ａ，Ｘ，Ｉ）×Ｐ（Ｘ，Ｍ−Ｉ）｝    …（４）
ただし、最初のΣは、太陽光発電設備仕様管理部５２５で管理されている全ての太陽光発電設備２２０Ｘについて和をとることを意味し、２つめのΣはＩについて和をとることを意味し、Ｉは１から事前に定めた値Ｉｍａｘまでを動く。さらに、α（Ａ，０）はＡによって決まる定数、α（Ａ，Ｘ，Ｉ）はＡとＸによって決まる定数を表す。
【００９４】
次に、ステップＳ３３０において、太陽光発電設備発電量予測部５６０は、時刻断面Ｍ＋１の発電量を予測する。すなわち、式（４）でＭをＭ＋１と書き換えた式を用いてＰ（Ａ，Ｍ）を計算し、これを太陽光発電設備２２０Ａの時刻断面Ｍ＋１の発電量の予測値として、太陽光発電設備発電量管理部５１５に格納する。
【００９５】
最後に、ステップＳ３４０において、太陽光発電設備発電量予測部５６０は、時刻断面Ｎまで繰り返えす。すなわち、Ｍ＝Ｎとなるまで、ＭをＭ＋１で置き換えて、ステップＳ３２０，Ｓ３３０の処理を繰り返す。
【００９６】
以上説明したように、太陽光発電設備発電量予測部５６０が予測して、太陽光発電設備発電量管理部５１５に格納される予測データは、発電量の実績データをベースにしていて、電圧上昇抑制制御や影による発電量低下の影響を除外したものである。したがって、配電系統の電圧分布の影響を除去して、太陽光発電設備の発電量を高精度に予測可能となる。
【００９７】
次に、図６を用いて、本実施形態による太陽光発電設備発電量予測システム及び気象予測システムにおける気象情報変換部５９０の処理内容について説明する。
【００９８】
図６は、本発明の一実施形態による太陽光発電設備発電量予測システム及び気象予測システムにおける気象情報変換部の処理内容を示すフローチャートである。
【００９９】
気象情報変換部５９０は、太陽光発電設備２２０の設置場所の将来時点の日射強度を予測する。
【０１００】
すなわち、ステップＳ４００において、気象情報変換部５９０は、初期設定を実行する。具体的には、予測対象の太陽光発電設備２２０をＡ、予測対象の将来の時刻断面をＮとする。
【０１０１】
次に、ステップＳ４１０において、気象情報変換部５９０は、発電量を予測する。すなわち、気象情報変換部５９０は、太陽光発電設備発電量予測部５６０に、予測対象の太陽光発電設備２２０Ａ、時刻断面Ｎを渡し、発電量の予測を起動する。そして、太陽光発電設備発電量予測部５６０により、太陽光発電設備発電量管理部５１５に、対象の予測データが格納される。さらに、対象の発電量予測値を、太陽光発電設備発電量管理部５１５から取得する。
【０１０２】
次に、ステップＳ４２０において、気象情報変換部５９０は、日射強度への変換を実行する。すなわち、気象情報変換部５９０は、太陽光発電設備仕様管理部５２５から、太陽光発電設備２２０Ａの発電特性データを取得し、前記の発電量予測値に対応する日射強度を求める。そして、求めた日射強度を、太陽光発電設備２２０Ａの設置場所の時刻断面Ｍにおける日射強度として、気象状態値管理部５３０に格納する。
【０１０３】
なお、気象情報変換部５９０は、さらに、需要家連携システム４００の情報配信部４２０を介して、前記予測した日射強度の情報を、需要家２００に配信し、情報出力機器２３０に出力するとしてもよい。
【０１０４】
以上説明したように、太陽光発電設備発電量予測部５６０で予測された予測データは、発電量の実績データをベースにしていて、電圧上昇抑制制御や影による発電量低下の影響を除外したものである。したがって、気象情報変換部５９０も、日射強度を高精度に予測することができる。以上のようにして、太陽光発電設備の発電量をもとに高精度に気象を予測可能となる。
【符号の説明】
【０１０５】
１００…配電系統
２００…需要家
２１０…電力負荷機器
２２０…太陽光発電設備
２３０…情報出力機器
３００…配電監視システム
３１０…配電系統監視部
３２０…配電系統状態予測部
４００…需要家連携システム
４１０…太陽光発電設備管理部
４２０…情報配信部
５００…太陽光発電設備発電量予測＆気象予測システム
５１０…配電系統状態値管理部
５１５…太陽光発電設備発電量管理部
５２０…太陽光発電設備電圧上昇抑制状況管理部
５２５…太陽光発電設備仕様管理部
５３０…気象状態値管理部
５５０…太陽光発電設備間発電量相関モデル同定部
５６０…太陽光発電設備発電量予測部
５７０…太陽光発電設備発電量補正部
５８０…補正必要度判定部
５９０…気象情報変換部
【図１】
0005517081.tif 000002
【図２】
0005517081.tif 000003
【図３】
0005517081.tif 000004
【図４】
0005517081.tif 000005
【図５】
0005517081.tif 000006
【図６】
0005517081.tif 000007